(57)【特許請求の範囲】
【請求項１】
被試験対象（１００）から出力される被測定信号を受信し、当該被測定信号の波形データを含む波形ファイルを生成する信号受信部（１１）と、
前記信号受信部により生成された波形ファイルを記憶する波形ファイル記憶部（１２）と、
前記波形ファイル記憶部に記憶された複数の前記波形ファイルの中から１つの波形ファイルを選択するための波形ファイル選択操作部（１６）と、
前記波形ファイル選択操作部で選択された波形ファイルに含まれる波形データをアナログ値に変換することにより出力信号を発生して外部に出力する信号発生部（１７）と、
前記信号受信部により生成された波形ファイルを必要に応じて圧縮して前記波形ファイル記憶部に記憶させる波形ファイル圧縮部（１５）と、
前記波形ファイル選択操作部で選択された波形ファイルを必要に応じて解凍して前記信号発生部に出力する波形ファイル解凍部（２０）と、を備えることを特徴とする測定装置。
【請求項２】
被試験対象（１００）から出力される被測定信号を受信し、当該被測定信号の波形データを含む波形ファイルを生成する信号受信部（１１）と、
前記信号受信部により生成された波形ファイルを記憶する波形ファイル記憶部（１２）と、
前記波形ファイル記憶部に記憶された複数の前記波形ファイルの中から１つの波形ファイルを選択するための波形ファイル選択操作部（１６）と、
前記波形ファイル選択操作部で選択された波形ファイルに基づいて出力信号を発生する信号発生部（１７）と、
前記信号受信部により生成された波形ファイルを必要に応じて圧縮して前記波形ファイル記憶部に記憶させる波形ファイル圧縮部（１５）と、
前記波形ファイル選択操作部で選択された波形ファイルを必要に応じて解凍して前記信号発生部に出力する波形ファイル解凍部（２０）と、
前記信号受信部により生成された波形ファイルが圧縮対象のファイルであるか否かを判断する圧縮対象ファイル判断部（１３）と、を備え、
前記波形ファイル圧縮部は、前記圧縮対象ファイル判断部により、前記信号受信部により生成された波形ファイルが圧縮対象のファイルであると判断された場合に、当該波形ファイルを圧縮することを特徴とする測定装置。
【請求項３】
前記圧縮対象ファイル判断部は、前記波形ファイル記憶部の記憶容量の残量に基づいて、前記信号受信部により生成された波形ファイルが前記圧縮対象のファイルであるか否かを判断することを特徴とする請求項２に記載の測定装置。
【請求項４】
前記波形ファイル選択操作部で選択された波形ファイルの波形データに対して測定を実行する測定部（２１）を更に備えることを特徴とする請求項１から請求項３のいずれか一項に記載の測定装置。
【請求項５】
前記波形ファイル解凍部で解凍された波形ファイルを展開するための波形メモリ（１８）を更に備え、
前記信号発生部は、前記波形メモリに展開された波形ファイルに基づいて前記出力信号を発生することを特徴とする請求項１から請求項４のいずれか一項に記載の測定装置。
【請求項６】
被試験対象（１００）から出力される被測定信号を受信し、当該被測定信号の波形データを含む波形ファイルを生成する信号受信部（１１）を備える測定装置（１０）と、当該測定装置を制御する外部制御装置（４０）と、を備える測定システムであって、
前記外部制御装置は、
前記信号受信部により生成された波形ファイルが入力される波形ファイル入力部（２５）と、
前記波形ファイル入力部に入力された波形ファイルを必要に応じて圧縮する波形ファイル圧縮部（１５）と、を備え、
前記測定装置は、
前記波形ファイル入力部に入力された波形ファイル、又は、前記波形ファイル圧縮部により圧縮された波形ファイルを記憶する波形ファイル記憶部（１２）と、
前記波形ファイル記憶部に記憶された複数の前記波形ファイルの中から１つの波形ファイルを選択するための波形ファイル選択操作部（１６）と、
前記波形ファイル選択操作部で選択された波形ファイルに含まれる波形データをアナログ値に変換することにより出力信号を発生して外部に出力する信号発生部（１７）と、
前記波形ファイル選択操作部で選択された波形ファイルを必要に応じて解凍して前記信号発生部に出力する波形ファイル解凍部（２０）と、を更に備えることを特徴とする測定システム。
【請求項７】
被試験対象（１００）から出力される被測定信号を受信し、当該被測定信号の波形データを含む波形ファイルを生成する信号受信ステップ（Ｓ１，Ｓ２）と、
前記信号受信ステップにより生成された波形ファイルを記憶する波形ファイル記憶ステップ（Ｓ５）と、
前記信号受信ステップにより生成された波形ファイルを必要に応じて圧縮して前記波形ファイル記憶ステップにより記憶させる波形ファイル圧縮ステップ（Ｓ４）と、
前記波形ファイル記憶ステップにより記憶された複数の前記波形ファイルの中から１つの波形ファイルを選択するための波形ファイル選択操作ステップ（Ｓ１１）と、
前記波形ファイル選択操作ステップで選択された波形ファイルに含まれる波形データをアナログ値に変換することにより出力信号を発生して外部に出力する信号発生ステップ（Ｓ１４）と、
前記波形ファイル選択操作ステップで選択された波形ファイルを必要に応じて解凍して前記信号発生ステップに出力する波形ファイル解凍ステップ（Ｓ１３）と、を備えることを特徴とする測定方法。
【発明の詳細な説明】
【技術分野】
【０００１】
本発明は、測定装置及び方法、並びに測定システムに係り、特に圧縮された波形データを解凍して信号を発生する信号発生部を備えた測定装置及び方法、並びに測定システムに関する。
【背景技術】
【０００２】
近年、マルチメディア通信の普及や利用者数の増加、さらには通信技術の発達に伴い、多数の通信規格が策定されており、複数の通信規格に対応した無線端末機器（携帯電話等）などが盛んに生産されるようになっている。また、通信ネットワークを構成する各種機器の性能や、通信ネットワーク内を伝送される信号の品質を通信規格ごとに測定することが求められている。
【０００３】
このような測定を行うための測定系としては、例えば、各通信規格に対応した専用の測定装置を採用する場合がある。しかしながら、新たな通信規格が策定される度に専用の測定装置を準備することは、効率の面やコストの面からは望ましくない。そこで、通信規格に依存しない汎用的な信号発生装置や信号解析装置を用いて、測定の効率化が図られるようになってきている。
【０００４】
汎用的な信号発生装置としては、あらかじめディジタル値の波形データをメモリに記憶しておき、これをアナログ値に変換して所望の波形を出力するものが既に提案されている（例えば、特許文献１参照）。
【０００５】
特許文献１に開示された信号発生装置は、ファイルサイズの大きいディジタル値の波形データを圧縮することにより、波形データをメモリへ書き込む際に要する時間を短縮するものである。なお、この信号発生装置においては、波形データを作成するツールと、波形データを圧縮する波形圧縮部とがソフトウェアで構成されているのに対して、圧縮された波形データを解凍する復号器はハードウェア（ＦＰＧＡ）で構成されている。
【先行技術文献】
【特許文献】
【０００６】
【特許文献１】特開２０１２−２１５５１６号公報
【発明の概要】
【発明が解決しようとする課題】
【０００７】
しかしながら、特許文献１に開示されたような従来の信号発生装置は、圧縮された波形データを解凍して、任意の周波数成分の信号を発生させることは可能であるが、被試験対象から出力される信号を受信し、その信号を所望のタイミングで再生することはできなかった。
【０００８】
本発明は、このような従来の課題を解決するためになされたものであって、被試験対象から出力される信号を受信し、その信号を所望のタイミングで再生することが可能な測定装置及び方法、並びに測定システムを提供することを目的とする。
【課題を解決するための手段】
【０００９】
上記課題を解決するために、本発明の請求項１の測定装置は、被試験対象から出力される被測定信号を受信し、当該被測定信号の波形データを含む波形ファイルを生成する信号受信部と、前記信号受信部により生成された波形ファイルを記憶する波形ファイル記憶部と、前記波形ファイル記憶部に記憶された複数の前記波形ファイルの中から１つの波形ファイルを選択するための波形ファイル選択操作部と、前記波形ファイル選択操作部で選択された波形ファイルに含まれる波形データをアナログ値に変換することにより出力信号を発生して外部に出力する信号発生部と、前記信号受信部により生成された波形ファイルを必要に応じて圧縮して前記波形ファイル記憶部に記憶させる波形ファイル圧縮部と、前記波形ファイル選択操作部で選択された波形ファイルを必要に応じて解凍して前記信号発生部に出力する波形ファイル解凍部と、を備えることを特徴とする。
【００１０】
また、本発明の請求項２の測定装置は、被試験対象から出力される被測定信号を受信し、当該被測定信号の波形データを含む波形ファイルを生成する信号受信部と、前記信号受信部により生成された波形ファイルを記憶する波形ファイル記憶部と、前記波形ファイル記憶部に記憶された複数の前記波形ファイルの中から１つの波形ファイルを選択するための波形ファイル選択操作部と、前記波形ファイル選択操作部で選択された波形ファイルに基づいて出力信号を発生する信号発生部と、前記信号受信部により生成された波形ファイルを必要に応じて圧縮して前記波形ファイル記憶部に記憶させる波形ファイル圧縮部と、前記波形ファイル選択操作部で選択された波形ファイルを必要に応じて解凍して前記信号発生部に出力する波形ファイル解凍部と、前記信号受信部により生成された波形ファイルが圧縮対象のファイルであるか否かを判断する圧縮対象ファイル判断部と、を備え、前記波形ファイル圧縮部は、前記圧縮対象ファイル判断部により、前記信号受信部により生成された波形ファイルが圧縮対象のファイルであると判断された場合に、当該波形ファイルを圧縮することを特徴とする。
【００１１】
また、本発明の請求項３の測定装置においては、前記圧縮対象ファイル判断部は、前記波形ファイル記憶部の記憶容量の残量に基づいて、前記信号受信部により生成された波形ファイルが前記圧縮対象のファイルであるか否かを判断することを特徴とする。
【００１２】
また、本発明の請求項４の測定装置は、前記波形ファイル選択操作部で選択された波形ファイルの波形データに対して測定を実行する測定部２１を更に備えることを特徴とする。
【００１３】
また、本発明の請求項５の測定装置は、前記波形ファイル解凍部で解凍された波形ファイルを展開するための波形メモリを更に備え、前記信号発生部は、前記波形メモリに展開された波形ファイルに基づいて前記出力信号を発生することを特徴とする。
【００１４】
また、本発明の請求項６の測定システムは、被試験対象から出力される被測定信号を受信し、当該被測定信号の波形データを含む波形ファイルを生成する信号受信部を備える測定装置と、当該測定装置を制御する外部制御装置と、を備える測定システムであって、前記外部制御装置は、前記信号受信部により生成された波形ファイルが入力される波形ファイル入力部と、前記波形ファイル入力部に入力された波形ファイルを必要に応じて圧縮する波形ファイル圧縮部と、を備え、前記測定装置は、前記波形ファイル入力部に入力された波形ファイル、又は、前記波形ファイル圧縮部により圧縮された波形ファイルを記憶する波形ファイル記憶部と、前記波形ファイル記憶部に記憶された複数の前記波形ファイルの中から１つの波形ファイルを選択するための波形ファイル選択操作部と、前記波形ファイル選択操作部で選択された波形ファイルに含まれる波形データをアナログ値に変換することにより出力信号を発生して外部に出力する信号発生部と、前記波形ファイル選択操作部で選択された波形ファイルを必要に応じて解凍して前記信号発生部に出力する波形ファイル解凍部と、を更に備えることを特徴とする。
【００１５】
また、本発明の請求項７の測定方法は、被試験対象から出力される被測定信号を受信し、当該被測定信号の波形データを含む波形ファイルを生成する信号受信ステップと、前記信号受信ステップにより生成された波形ファイルを記憶する波形ファイル記憶ステップと、前記信号受信ステップにより生成された波形ファイルを必要に応じて圧縮して前記波形ファイル記憶ステップにより記憶させる波形ファイル圧縮ステップと、前記波形ファイル記憶ステップにより記憶された複数の前記波形ファイルの中から１つの波形ファイルを選択するための波形ファイル選択操作ステップと、前記波形ファイル選択操作ステップで選択された波形ファイルに含まれる波形データをアナログ値に変換することにより出力信号を発生して外部に出力する信号発生ステップと、前記波形ファイル選択操作ステップで選択された波形ファイルを必要に応じて解凍して前記信号発生ステップに出力する波形ファイル解凍ステップと、を備えることを特徴とする。
【発明の効果】
【００１６】
本発明は、被試験対象から出力される信号を受信し、その信号を所望のタイミングで再生することが可能な測定装置及び方法、並びに測定システムを提供するものである。
【図面の簡単な説明】
【００１７】
【図１】本発明の実施形態としての測定装置の構成を示すブロック図である。
【図２】本発明の実施形態としての測定装置が備える信号受信部の詳細な構成を示すブロック図である。
【図３】本発明の実施形態としての測定システムの構成を示すブロック図である。
【図４】本発明の実施形態としての測定装置が備える信号発生部の詳細な構成を示すブロック図である。
【図５】波形ファイルの圧縮率とロード時間との関係を示すグラフである。
【図６】圧縮前の波形ファイルのファイルサイズと、波形ファイルの圧縮率との関係を通信規格ごとに模式的に示すグラフである。
【図７】本発明の実施形態としての測定装置で再生された被測定信号を他の測定装置に入力する構成を示すブロック図である。
【図８】本発明の実施形態としての測定装置による波形ファイルの圧縮処理を説明するフローチャートである。
【図９】本発明の実施形態としての測定装置による波形ファイルの解凍処理を説明するフローチャートである。
【発明を実施するための形態】
【００１８】
以下、本発明に係る測定装置及び方法、並びに測定システムの実施形態について、図面を用いて説明する。
【００１９】
図１に示すように、本発明の実施形態としての測定装置１は、信号受信部１１、波形ファイル記憶部１２、圧縮対象ファイル判断部１３、切替部１４、波形ファイル圧縮部１５、波形ファイル選択操作部としての操作部１６、信号発生部１７、波形メモリ１８、波形ファイル解凍部２０、測定部２１、表示部２２、及び制御部２３を備える。
【００２０】
信号受信部１１は、被試験対象（Device Under Test：ＤＵＴ）１００から出力される信号（以下、「被測定信号」という）を受信し、被測定信号の波形ファイルを生成するようになっている。波形ファイルは、例えば、Ｉ相成分（同相成分）及びＱ相成分（直交成分）のベースバンドの波形データ（ディジタル値）や通信規格の情報を含む。ＤＵＴ１００は、例えば、携帯電話などの無線端末機器、あるいは基地局装置である。
【００２１】
ここで、ＤＵＴ１００が対応する通信規格としては、例えば、セルラ（ＬＴＥ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、ＷＬＡＮ（ＩＥＥＥ８０２．１１ｂ／ｇ／ａ／ｎ／ａｃ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００２２】
波形ファイル記憶部１２は、信号受信部１１により生成された波形ファイルを蓄積記憶するようになっている。例えば、波形ファイル記憶部１２は、１つ又は複数のＤＵＴ１００から出力される複数の被測定信号から得られる複数の波形ファイルを記憶可能な記憶容量を有する。
【００２３】
圧縮対象ファイル判断部１３は、信号受信部１１により生成された波形ファイルが圧縮対象のファイルであるか否かを判断するようになっている。
【００２４】
切替部１４は、圧縮対象ファイル判断部１３により、信号受信部１１により生成された波形ファイルが圧縮対象であると判断された場合に、当該波形ファイルを波形ファイル圧縮部１５に入力するようになっている。一方、切替部１４は、圧縮対象ファイル判断部１３により、信号受信部１１により生成された波形ファイルが圧縮対象でないと判断された場合に、当該波形ファイルをそのまま波形ファイル記憶部１２に入力するようになっている。
【００２５】
波形ファイル圧縮部１５は、信号受信部１１により生成された波形ファイルを必要に応じて圧縮して波形ファイル記憶部１２に記憶させるようになっている。波形ファイル圧縮部１５は、圧縮対象ファイル判断部１３により、信号受信部１１により生成された波形ファイルが圧縮対象のファイルであると判断された場合に、７−Ｚｉｐ、ＺＩＰ、ＲＡＲ、ＣＡＢなどの公知の様々な圧縮／解凍アルゴリズムを用いて当該波形ファイルを圧縮する。
【００２６】
また、波形ファイル圧縮部１５は、波形ファイルを圧縮する際に、当該波形ファイルが圧縮されていることを示す情報（以下、「圧縮情報」ともいう）を制御部２３に登録するようになっている。
【００２７】
操作部１６は、波形ファイル記憶部１２に記憶された複数の波形ファイルの中から１つの波形ファイルを選択するために、ユーザが操作するものである。操作部１６は、例えば、波形ファイル記憶部１２に記憶された複数の波形ファイルを選択可能に表示するディスプレイと、キーボード、ダイヤル又はマウスのような入力デバイスと、を含んで構成される。
【００２８】
また、操作部１６は、例えば波形ファイルごとや通信規格ごとに波形ファイルを圧縮するか否かをユーザが入力可能となっており、当該入力情報を圧縮対象ファイル判断部１３に入力するようになっていてもよい。
【００２９】
信号発生部１７は、操作部１６で選択されて波形メモリ１８に展開された波形ファイルに含まれた波形データをアナログ値に変換することにより出力信号を発生するものである。つまり、信号発生部１７は、ユーザの所望のタイミングで、波形ファイル記憶部１２に記憶された任意の波形ファイルから被測定信号を再生して出力信号として出力することができる。また、信号発生部１７は、周波数変換手段や増幅手段を備えており、出力信号の波形データの振幅や周波数を適宜調整するようになっている。
【００３０】
制御部２３は、上記の圧縮情報に基づいて、波形ファイル記憶部１２に記憶された各波形ファイルが圧縮されたファイルであるか否かの情報を管理している。また、制御部２３は、操作部１６で選択された波形ファイルが圧縮されているか否かを判断するようになっている。
【００３１】
波形ファイル解凍部２０は、操作部１６で選択された波形ファイルを必要に応じて解凍するようになっている。波形ファイル解凍部２０は、制御部２３により、操作部１６で選択された波形ファイルが圧縮されていると判断された場合に、当該波形ファイルを解凍して波形メモリ１８に出力する。一方、制御部２３により、操作部１６で選択された波形ファイルが圧縮されていないと判断された場合には、波形ファイル解凍部２０は、当該波形ファイルをそのまま波形メモリ１８に入力する。
【００３２】
測定部２１は、波形メモリ１８に入力された被測定信号の波形データに対して各種測定を行うようになっている。例えば、測定部２１は、変調解析や、占有帯域幅、隣接チャネル漏洩電力、スプリアス等の測定を行う。
【００３３】
表示部２２は、例えばＬＣＤやＣＲＴなどの表示機器で構成され、制御部２３からの制御信号に応じて各種表示内容を表示するようになっている。この表示内容には、測定部２１による測定結果や、測定条件などを設定するためのソフトキー、プルダウンメニュー、テキストボックスなどの操作対象が含まれる。
【００３４】
制御部２３は、例えばＣＰＵ、ＲＯＭ、ＲＡＭなどを含むマイクロコンピュータで構成され、測定装置１を構成する上記各部の動作を制御するとともに、所定のプログラムを実行することにより、信号受信部１１、圧縮対象ファイル判断部１３、切替部１４、波形ファイル圧縮部１５、信号発生部１７、波形ファイル解凍部２０、及び測定部２１をソフトウェア的に構成するようになっている。
【００３５】
図２に示すように、信号受信部１１は、例えば、局部発振器３１、ミキサ３２、アナログディジタルコンバータ（ＡＤＣ）３３、及び波形ファイル生成部３４を備えている。
【００３６】
局部発振器３１は、ローカル周波数ｆＬのローカル信号を発振して、当該ローカル信号をミキサ３２へ送出するようになっている。
【００３７】
ミキサ３２は、ＤＵＴ１００から入力された周波数ｆＲの被測定信号とローカル周波数ｆＬのローカル信号とをミキシングして中間周波数ｆＩ（＝ｆＬ−ｆＲ）の信号に変換して、当該中間周波数信号をＡＤＣ３３へ送出するようになっている。
【００３８】
ＡＤＣ３３は、ミキサ３２から出力される中間周波数信号を、制御部２３からの所定のクロックでディジタルデータに変換するようになっている。
【００３９】
波形ファイル生成部３４は、ＡＤＣ３３により変換されたディジタルデータ、すなわち被測定信号の波形データを含む波形ファイルを生成する。
【００４０】
なお、図３に示すように、測定装置は、ＧＰＩＢ、Ｅｔｈｅｒｎｅｔ（登録商標）、ＵＳＢなどのリモート制御インタフェース（Ｉ／Ｆ）２４，２５を介して、外部制御装置４０により遠隔制御される構成であってもよい。図３に示す測定装置１０及び外部制御装置４０は、測定システム３を構成する。なお、Ｉ／Ｆ２５は、信号受信部１１により生成された波形ファイルが入力される波形ファイル入力部としても機能する。
【００４１】
例えば、外部制御装置４０は、Ｉ／Ｆ２５に加えて、圧縮対象ファイル判断部１３、切替部１４、波形ファイル圧縮部１５、操作部２６、及び制御部２７を含んでいてもよい。操作部２６及び制御部２７の基本的な構成は、測定装置１が有する操作部１６及び制御部２３と同様である。操作部２６は、操作部１６と同様に、波形ファイル選択操作部として機能する。制御部２７は、外部制御装置４０を構成する各部の駆動制御を行うようになっている。
【００４２】
図４に示すように、信号発生部１７は、例えば、ディジタルアナログコンバータ（ＤＡＣ）４１、直交変調器４２、局部発振器４３、自動レベル制御回路（ＡＬＣ）４４、及びステップアッテネータ（ステップＡＴＴ）４５を備えている。
【００４３】
ＤＡＣ４１は、波形メモリ１８から入力されるＩ相成分及びＱ相成分のディジタル値のベースバンド信号の波形データをアナログ値に変換して直交変調器４２に出力するようになっている。
【００４４】
局部発振器４３は、制御部２３からの制御信号に基づいた局部発振周波数の局部発振信号を生成し、直交変調器４２に出力するように構成されている。
【００４５】
直交変調器４２は、ＤＡＣ４１から入力されたＩ相成分及びＱ相成分と、局部発振器４３から入力された局部発振信号とを乗算することにより直交変調及び周波数変換を行って無線周波数の信号（ＲＦ信号）を生成するようになっている。また、直交変調器４２は、生成したＲＦ信号をＡＬＣ４４に出力するようになっている。
【００４６】
ＡＬＣ４４は、直交変調器４２の出力信号の電力レベルを所定の電力レベルに調整してステップＡＴＴ４５に出力するようになっている。ＡＬＣ４４が設定する電力レベルは、制御部２３からの制御信号によって設定されるようになっている。ＡＬＣ４４は、出力信号レベルを例えば０．１ｄＢ単位で調整できるものである。
【００４７】
ステップＡＴＴ４５は、各々の減衰量が予め定められた複数のアッテネータセクションを備え、各アッテネータセクションの減衰量の組み合わせにより、入力されたＲＦ信号のレベルを所定の減衰量のステップで減衰することができるＡＴＴである。このステップＡＴＴ４５は、制御部２３からの制御信号によって設定された減衰量で入力信号を減衰し、ユーザが所望する電力レベルの出力ＲＦ信号を出力するようになっている。
【００４８】
図５は、波形ファイルの圧縮率と、波形ファイルの波形ファイル記憶部１２へのロード時間との関係を示すグラフである。ここで、圧縮率＝圧縮後の波形ファイルのファイルサイズ／圧縮前の波形ファイルのファイルサイズ、ロード時間増加倍率＝圧縮後の波形ファイルのロード時間／圧縮前の波形ファイルのロード時間、としている。
【００４９】
図５のグラフから、圧縮率が悪い（高い）波形ファイルほど、ロード時間増加倍率が大きくなる傾向が見て取れる。つまり、同じファイルサイズの波形ファイルであっても、圧縮率が悪いほどロード時間が長くなっていくことが分かる。
【００５０】
図６は、圧縮前の波形ファイルのファイルサイズと、波形ファイルの圧縮率との関係を通信規格ごとに模式的に示すグラフである。また、表１に通信規格ごとの波形ファイルの圧縮要否の一例を示す。
【００５１】
ＧＮＳＳ用の波形ファイルは、他の通信規格と比較して圧縮前のファイルサイズが大きい傾向があるが、圧縮率が常に非常に良い（低い）ため、圧縮して扱うことが推奨される。
【００５２】
ディジタル放送（図中の「Digital broadcast」）用の波形ファイルは、圧縮率が比較的悪く（高く）、圧縮効果が薄い。また、圧縮率が高いディジタル放送用の波形ファイルを圧縮する場合には、図５に示したようにロード時間が長くなってしまう。このため、ディジタル放送用の波形ファイルの圧縮は基本的には非推奨である。
【００５３】
ただし、ディジタル放送用の波形ファイルは、ファイルサイズが大きくなる傾向にあるため、波形ファイル記憶部１２において波形ファイルの入れ替えを余り生じさせない使用状況であれば、若干でも波形ファイル記憶部１２の空き容量を増加させるために圧縮することは有効である。
【００５４】
ＷＬＡＮ（図中の「Wireless LAN」）及びＢｌｕｅｔｏｏｔｈ（登録商標）用の波形ファイルは、一般的にファイルサイズが小さい傾向にある。このため、大量にこれらの波形ファイルを扱う場合以外は圧縮のメリットが得られないため、ＷＬＡＮ及びＢｌｕｅｔｏｏｔｈ（登録商標）用の波形ファイルの圧縮は非推奨である。
【００５５】
セルラ（図中の「Cellular」）用の波形ファイルは、圧縮率がおおむね良好であり、圧縮効果が高いと言えるため、圧縮して扱うことが推奨される。
【表１】
0006454191.tif 000002
【００５６】
圧縮対象ファイル判断部１３は、例えば表１のようなテーブルを記憶しており、通信規格ごとに波形ファイルが圧縮対象であるか否かを判断するものであってもよい。あるいは、圧縮対象ファイル判断部１３は、圧縮率が比較的良い（低い）波形ファイルを圧縮対象であると判断し、圧縮率が比較的悪い（高い）波形ファイルを圧縮対象でないと判断するものであってもよい。
【００５７】
なお、セルラ用の波形ファイルは、ファイルサイズや圧縮率が波形データの内容によって様々な値を取るため、個々の波形ファイルのファイルサイズと圧縮率、測定時間に占めるロード時間の割合、波形ファイル記憶部１２の記憶容量等に基づいて、圧縮すべきかどうかを波形ファイルごとに圧縮対象ファイル判断部１３が判断するようになっていてもよい。
【００５８】
また、圧縮対象ファイル判断部１３は、波形ファイル記憶部１２の記憶容量の残量に基づいて、信号受信部１１により生成された波形ファイルが圧縮対象のファイルであるか否かを判断するものであってもよい。あるいは、既に述べたように、ユーザの操作部１６の操作により、波形ファイルごとに波形ファイルを圧縮するか否かを決定できるようになっていてもよい。
【００５９】
図７に示すように、本実施形態の測定装置１によれば、ＤＵＴ１００からの被測定信号を再生して、当該被測定信号を他の測定装置２に入力することができる。これにより、例えば、本実施形態の測定装置１でＤＵＴ１００からの被測定信号をキャプチャし、他の測定装置２において当該被測定信号に対する測定を実行することなどが可能になる。
【００６０】
以下、図８，９のフローチャートを参照しながら、本実施形態の測定装置１を用いた信号発生方法について説明する。
【００６１】
＜波形ファイル圧縮＞
図８に示すように、まず、任意のＤＵＴ１００からの被測定信号が信号受信部１１に入力される（ステップＳ１）。
【００６２】
次に、信号受信部１１は、入力された被測定信号の波形ファイルを生成する（ステップＳ２）。
【００６３】
次に、圧縮対象ファイル判断部１３は、信号受信部１１で生成された波形ファイルが圧縮対象であるか否かを判断する（ステップＳ３）。当該波形ファイルが圧縮対象である場合には、ステップＳ４に進む。一方、当該波形ファイルが圧縮対象でない場合には、ステップＳ４を飛ばしてステップＳ５に進む。
【００６４】
ステップＳ４において、波形ファイル圧縮部１５は、ステップＳ３で圧縮対象であると判断された波形ファイルを圧縮する。
【００６５】
ステップＳ５において、波形ファイル記憶部１２は、ステップＳ３で圧縮対象でないと判断された波形ファイル、又は、ステップＳ４で圧縮された波形ファイルを蓄積記憶する。
【００６６】
＜波形ファイル解凍＞
図９に示すように、まず、ユーザの操作部１６の操作により、波形ファイル記憶部１２に記憶された複数の波形ファイルの中から１つの波形ファイルが選択される（ステップＳ１１）。
【００６７】
次に、制御部２３は、ステップＳ１１で選択された波形ファイルが圧縮されているか否かを判断する（ステップＳ１２）。当該波形ファイルが圧縮されている場合には、ステップＳ１３に進む。一方、当該波形ファイルが圧縮されていない場合には、ステップＳ１３を飛ばしてステップＳ１４に進む。
【００６８】
ステップＳ１３において、波形ファイル解凍部２０は、ステップＳ１２で圧縮されていると判断された波形ファイルを解凍する。
【００６９】
ステップＳ１４において、信号発生部１７は、ステップＳ１２で圧縮されていないと判断された波形ファイル、又は、ステップＳ１３で解凍された波形ファイルに含まれた波形データをアナログ値に変換することにより、任意のＤＵＴ１００からの被測定信号を再生して出力する。
【００７０】
なお、上記のステップＳ１４の代わりに、ステップＳ１３で解凍された波形データに対して測定部２１が測定を行ってもよい。
【００７１】
以上説明したように、本実施形態の測定装置１は、ＤＵＴ１００から出力される被測定信号を受信し、当該被測定信号の波形データを含む波形ファイルを生成する信号受信部１１と、信号受信部１１により生成された波形ファイルを必要に応じて圧縮して波形ファイル記憶部１２に記憶させる波形ファイル圧縮部１５と、操作部１６で選択された波形ファイルに基づいて出力信号を発生する信号発生部１７と、操作部１６で選択された波形ファイルを必要に応じて解凍して信号発生部１７に出力する波形ファイル解凍部２０と、を備える。
【００７２】
これにより、１つ又は複数のＤＵＴ１００からの複数の被測定信号を波形ファイルとして波形ファイル記憶部１２に記憶し、波形ファイル記憶部１２に記憶された任意の波形ファイルから被測定信号を所望のタイミングで再生して出力信号として出力することができる。
【００７３】
また、波形ファイルを圧縮して波形ファイル記憶部１２に記憶させることにより、波形ファイル記憶部１２の記憶容量が限られている場合であっても、多数の波形ファイルを保管、再生することができる。特に、圧縮効果の高い波形ファイルを圧縮して波形ファイル記憶部１２に記憶させることにより、波形ファイル記憶部１２の記憶容量を有効に利用することができる。
【００７４】
また、本実施形態の測定装置１は、信号受信部１１により生成された波形ファイルが圧縮対象のファイルであるか否かを判断する圧縮対象ファイル判断部１３を更に備える。
【００７５】
これにより、あらかじめ圧縮対象を適切に設定しておくことにより、圧縮処理及び解凍処理に要する時間を短縮したり、記憶容量を有効に利用したりすることができる。
【００７６】
また、本実施形態の測定装置１においては、圧縮対象ファイル判断部１３は、波形ファイル記憶部１２の記憶容量の残量に基づいて、波形ファイルが圧縮対象のファイルであるか否かを判断する。
【００７７】
これにより、例えば、波形ファイル記憶部１２の記憶容量の残量が多い場合には、波形ファイルの圧縮／解凍処理を省略することができる。一方、波形ファイル記憶部１２の記憶容量の残量が少ない場合には、波形ファイルの圧縮／解凍処理を実行して、限られた記憶容量を有効に利用することができる。
【００７８】
また、本実施形態の測定装置１においては、操作部１６で選択された波形ファイルの波形データに対して測定を実行する測定部２１を更に備える。これにより、ユーザの所望のタイミングで被測定信号に対する測定を行うことができる。
【００７９】
また、本実施形態の測定装置１は、波形ファイル解凍部２０で解凍された波形ファイルを展開するための波形メモリ１８を更に備える。
【００８０】
これにより、波形ファイル解凍部２０により解凍された波形ファイルを波形メモリ１８に展開する構成とすることにより、高速に解凍処理を行うためのハードウェアが不要となり、コストを抑えることができる。
【符号の説明】
【００８１】
１，２，１０  測定装置
３  測定システム
１１  信号受信部
１２  波形ファイル記憶部
１３  圧縮対象ファイル判断部
１４  切替部
１５  波形ファイル圧縮部
１６  操作部
１７  信号発生部
１８  波形メモリ
２０  波形ファイル解凍部
２１  測定部
２２  表示部
２３  制御部
２５  Ｉ／Ｆ（波形ファイル入力部）
４０  外部制御装置
１００  ＤＵＴ（被試験対象）
【図１】
0006454191.tif 000003
【図２】
0006454191.tif 000004
【図３】
0006454191.tif 000005
【図４】
0006454191.tif 000006
【図５】
0006454191.tif 000007
【図６】
0006454191.tif 000008
【図７】
0006454191.tif 000009
【図８】
0006454191.tif 000010
【図９】
0006454191.tif 000011